(57)【要約】【課題】  火災警報器等の装置が固定された天井や壁に対し、美観を損ねることなく効率的に壁紙を貼付ける。【解決手段】  天井１には、火災警報器２を避けて、壁紙３が貼付けられる。そして、被覆具４は、その縁部４２が天井１から突出した火災警報器２を取り囲んだ状態で火災警報器２に固定される。ここで、縁部４２は、天井１における火災警報器２の周辺領域を覆う。従って、天井１において火災警報器２と壁紙３との間も隙間が生じても、この隙間は縁部４２により覆われるため、居住者によって視認されることはない。【選択図】図１
2014000829.tif 000002
【特許請求の範囲】
【請求項１】
天井面または壁面に貼る壁紙に、前記天井面または壁面から突出した装置を露出させるための孔を形成する工程と、
前記孔に前記装置を収容させて、前記壁紙を前記天井面または壁面に貼付する工程と、
前記装置を収容する孔を囲む縁部を有する被覆具の当該孔に前記装置を収容し、前記壁紙における前記孔の周囲の部分と前記装置との間に生じる隙間を前記縁部により覆い、前記被覆具を前記装置に固定する工程と
を具備することを特徴とする内装方法。
【請求項２】
天井面または壁面から突出した装置を収容可能な孔を有し、前記孔に前記装置を収容して前記天井面または壁面に貼られる壁紙における前記孔の周囲の部分と前記装置との間に生じる隙間を覆うための被覆具であって、
前記装置を内側に収容して前記装置に固定される縁部を有し、前記縁部は、前記装置に固定された状態において、前記壁紙における前記孔の周囲の部分と前記装置との間に生じる隙間を覆うことを特徴とする被服具。
【請求項３】
前記縁部における前記装置を取り囲む領域に弾性部材を設けたことを特徴とする請求項２に記載の被覆具。
【発明の詳細な説明】
【技術分野】
【０００１】
この発明は、火災警報器等の装置が固定された天井や壁に壁紙を貼付けるための技術に関する。
【背景技術】
【０００２】
従来より住宅やビル等の建造物の内装材に壁紙がよく使用されている。この種の壁紙は、表面が装飾面、裏面が貼着面となっていて、室内の壁面や天井面に貼る場合、壁紙を適当な長さに裁断したら、貼着面を壁紙や天井面に密着させた状態で、一端側より押え刷毛で壁紙を押え付けて壁面や天井面に貼り付けている（例えば特許文献１参照）。
【先行技術文献】
【特許文献】
【０００３】
【特許文献１】特開２００３−１９１６９９号公報
【発明の概要】
【発明が解決しようとする課題】
【０００４】
ところで、集合住宅等では、例えば火災警報器が固定された天井に壁紙を貼ることが多い。このような場合、火災警報器を天井に固定したまま、この火災報知器を避けて綺麗に壁紙を貼るのは極めて困難である。そこで、天井の美観を損ねないように壁紙の貼付けを行うために、天井から火災警報器を一旦取り外し、壁紙を貼付けた後、天井に火災警報器を取り付ける作業を行うことが必要になる。しかし、その場合、火災警報器を取り外しても警報が鳴らないようにするための措置をとる必要があり、そのための手間が掛かるという問題があった。
【０００５】
この発明は以上のような事情に鑑みてなされたものであり、火災警報器等の装置が固定された天井や壁に対し、美観を損ねることなく効率的に壁紙を貼付けることを可能にする技術的手段を提供することを目的としている。
【課題を解決するための手段】
【０００６】
この発明は、天井面または壁面から突出した装置を収容可能な孔を有し、前記孔に前記装置を収容して前記天井面または壁面に貼られる壁紙における前記孔の周囲の部分と前記装置との間に生じる隙間を覆うための被覆具であって、前記装置を内側に収容して前記装置に固定される縁部を有し、前記縁部は、前記装置に固定された状態において、前記壁紙における前記孔の周囲の部分と前記装置との間に生じる隙間を覆うことを特徴とする被服具を提供する。
【０００７】
この被覆具を用いることにより次のような内装方法の実施が可能となる。
まず、天井面または壁面に貼る壁紙に、前記天井面または壁面から突出した装置を露出させるための孔を形成する。次に前記孔に前記装置を収容させて、前記壁紙を前記天井面または壁面に貼付する。次に前記壁紙に形成された孔から露出した装置を前記被覆具の縁部の孔に収容し、前記壁紙における前記孔の周囲の部分と前記装置との間に生じる隙間を前記縁部により覆い、前記被覆具を前記装置に固定するのである。
【０００８】
この発明によれば、天井面または壁面から突出した装置と、それを取り囲む壁紙との間に隙間が生じても、その隙間は被覆具の縁部により覆われるので、居住者により視認されることはない。従って、この発明によれば、火災警報器等の装置が固定された天井や壁に対し、美観を損ねることなく効率的に壁紙を貼付けることができる。
【図面の簡単な説明】
【０００９】
【図１】この発明の一実施形態である被覆具を火災警報器、天井とともに示す断面図である。
【図２】同実施形態における被覆具、火災警報器、天井を下方から見上げた平面図である。
【図３】この発明により被覆具の第1の変形例の構成を示す平面図である。
【図４】この発明により被覆具の第２の変形例の構成を示す平面図である。
【図５】この発明により被覆具の第３の変形例の構成を示す平面図である。
【発明を実施するための形態】
【００１０】
以下、図面を参照し、この発明の実施形態について説明する。
図１および図２は、天井１に設置された火災警報器２と、火災警報器２を避けて天井１の表面に貼付された壁紙３と、この発明の一実施形態である被覆具４の構成例を示すものであり、図１は断面図、図２は火災警報器２等を下方から見上げた平面図である。なお、図１では、図面が煩雑になるのを防止するため、火災警報器２については側面図が示されている。
【００１１】
図１および図２に示すように、本実施形態による被覆具４は、円形の孔４１を取り囲む円環状の縁部４２により構成されている。被覆具４の孔４１は、円筒形をなす火災警報器２が丁度収まる大きさを有している。そして、被覆具４は、孔４１に火災警報器２を収容した状態で火災警報器２に固定されている。被覆具４の縁部４２は、数ｃｍ程度の十分な幅を有しており、火災警報器２の周囲の外側に出っ張っている。ある好ましい態様では、縁部４２の天井１との対向面には粘着シートが貼付されており、縁部４２はこの粘着シートにより壁紙３に接着される。
【００１２】
本実施形態によれば、火災警報器２を収容可能なやや大きめの孔を壁紙３に空け、火災警報器２をこの孔に収容させて壁紙３を天井１に貼付し、その後、火災警報器２に被覆具４を固定する、という内装方法を実施することができる。
【００１３】
このように火災警報器２に被覆具４を固定すると、被覆具４の縁部４２により、天井１における火災警報器２の周囲の領域が覆われる。従って、壁紙３と火災警報器２との間に隙間Ｄが生じたとしても、被覆具４の縁部４２によりこの隙間Ｄが覆われるため、隙間Ｄが居住者によって視認されることはない。
【００１４】
従って、本実施形態によれば、火災警報器２を取り外さないで、美観を損なうことなく、壁紙３を貼付することができる。また、本実施形態によれば、壁紙３を天井１に貼付ける際に、火災警報器２と壁紙３との間にある程度の隙間Ｄが生じても構わないので、貼付けの作業が容易になり、効率的に壁紙３の貼付けを行うことができる。
【００１５】
＜他の実施形態＞
以上、この発明の一実施形態について説明したが、この発明には他にも実施形態が考えられる。例えば次の通りである。
【００１６】
（１）図３は被覆具４の第1の変形例である被覆具４Ａの構成を示す平面図である。この被覆具４Ａは、開閉可能な２つの部材、具体的には、半円環状の第1の部分４Ａ１と、同様な半円環状の第２の部分４Ａ２とに分かれている。ここで、第１の部分４Ａ１の両端部には係合部４３および４４が設けられており、他方の第２の部分４Ａ２の両端部にはこれらの係合部４３および４４を受け容れる係合部（図示略）が設けられている。そして、これらの第１の部分４Ａ１と第２の部分４Ａ２の係合部同士を係合させることにより、第１の部分４Ａ１と第２の部分４Ａ２とを相互に固定して閉じ、円環状の被覆具４Ａを構成することができるようになっている。
【００１７】
この態様によれば、例えば火災警報器２を第１の部分４Ａ１および第２の部分４Ａ２間に挟み、第１の部分４Ａ１および第２の部分４Ａ２を閉じて被覆具４Ａを火災警報器２に固定することができるので、被覆具４Ａを火災警報器２に固定する作業が容易であるという利点がある。
【００１８】
（２）図４は被覆具４の第２の変形例である被覆具４Ｂの構成を示す平面図である。この被覆具４Ｂは、半円環状の第1の部分４Ｂ１と、同様な半円環状の第２の部分４Ｂ２とにより構成されている。ここで、第１の部分４Ｂ１と第２の部分４Ｂ２は、支点４５において結合されており、この支点廻りに回動することが可能である。第１の部分４Ｂ１における支点４５と反対側の端部には係合部４６が設けられ、第２の部分４Ｂ２における支点４５と反対側の端部にはこの係合部４６を受け容れる係合部（図示略）が設けられている。
【００１９】
この態様においても、例えば火災警報器２を第１の部分４Ｂ１および第２の部分４Ｂ２間に挟み、第１の部分４Ｂ１および第２の部分４Ｂ２を閉じて被覆具４Ｂを火災警報器２に固定することができる。
【００２０】
（３）図５は被覆具４の第３の変形例である被覆具４Ｃの構成を示す平面図である。この被覆具４Ｃは、円環状の縁部４Ｃ１の内側にゴムパッキン等の弾性部材からなるリング４Ｃ２が設けられている。ここで、リング４Ｃ２の内径は、火災警報器２の外径よりもやや大きい。従って、被覆具４の孔に火災警報器２を収容させて被覆具４を火災警報器２に固定するとき、リング４Ｃ２は、弾性変形することにより火災警報器２を受け容れる。従って、この態様によれば、容易に、かつ、強固に被覆具４Ｃを火災警報器２に固定することができる。
【００２１】
（４）図３〜図５に示す各態様において、被覆具の天井との対向面に粘着シートを設けてもよい。
【００２２】
（５）壁紙の模様や色のバリエーションに合わせて、模様や色の異なる各種の被覆具を用意し、使用する壁紙に合った被覆具（例えば壁紙と同じ模様、色を有する被覆具）を選択して使用するようにしてもよい。
【００２３】
（６）上記実施形態では、天井に固定された装置の例として火災警報器を挙げたが、この発明は、火災警報器以外の各種の装置が固定された天井や壁に壁紙を貼り付ける際の手段として使用可能である。
【符号の説明】
【００２４】
１…天井、２……火災警報器、３…壁紙、４，４Ａ，４Ｂ，４Ｃ…被覆具、４１…孔、４２，４Ｃ１…縁部、４Ａ１，４Ｂ１…第１の部分、４Ａ２，４Ｂ２…第２の部分、４Ｃ２…リング、４３，４４，４６…係合部。
【図１】
2014000829.tif 000003
【図２】
2014000829.tif 000004
【図３】
2014000829.tif 000005
【図４】
2014000829.tif 000006
【図５】
2014000829.tif 000007